(57)【特許請求の範囲】
【請求項１】
天井に設けられた引掛シーリングボディに取り付けられる照明装置であって、
発光部と、
前記発光部を発光させるための電力を前記発光部に供給する電源回路と、
前記引掛シーリングボディが配置される凹部が設けられた第一の外面、前記凹部の側方に位置し、前記電源回路を収容する収容部、及び、前記第一の外面の反対側の第二の外面を有し、前記第二の外面に前記発光部が取り付けられた筐体とを備え、
前記収容部の底面は、前記凹部の底面よりも前記天井側に位置する
照明装置。
【請求項２】
前記筐体は、
前記第一の外面を含む第一部材と、
前記第二の外面及び前記収容部を含む第二部材とを有する
請求項１に記載の照明装置。
【請求項３】
前記筐体は、
前記第一の外面及び前記収容部を含む第一部材と、
前記第二の外面を含む第二部材とを有する
請求項１に記載の照明装置。
【請求項４】
前記第一部材は、前記引掛シーリングボディを前記第一の外面の反対側から視認するための開口部を有する
請求項２または３に記載の照明装置。
【請求項５】
前記第一部材は、前記凹部の周りに、前記第二部材を前記第一部材に取り付けるための取り付け部を有する
請求項２〜４のいずれか１項に記載の照明装置。
【請求項６】
前記筐体は、前記引掛シーリングボディを前記第二の外面側から視認するための開口部を有する
請求項１に記載の照明装置。
【請求項７】
前記発光部は、環状であり、前記開口部を囲むように前記第二の外面に取り付けられる
請求項６に記載の照明装置。
【請求項８】
前記凹部は、前記筐体のうち前記引掛シーリングボディに沿って凹んだ部分である
請求項１〜７のいずれか１項に記載の照明装置。
【発明の詳細な説明】
【技術分野】
【０００１】
本発明は、天井に設けられた引掛シーリングボディに取り付けられる照明装置に関する。
【背景技術】
【０００２】
従来、天井に設けられた引掛シーリングボディに取り付けられる照明器具（照明装置）、及び、引掛シーリングボディに照明器具を取り付けるための照明器具用アダプタが知られている。例えば、特許文献１には、引掛シーリングボディに着脱可能に取り付けられるランプ取り付け用アダプタが開示されている。
【先行技術文献】
【特許文献】
【０００３】
【特許文献１】特開２００７−２５０５１２号公報
【発明の概要】
【発明が解決しようとする課題】
【０００４】
引掛シーリングボディに取り付けられる照明装置は、薄型化が課題となる。
【０００５】
本発明は、薄型化が容易な照明装置を提供する。
【課題を解決するための手段】
【０００６】
本発明の一態様に係る照明装置は、天井に設けられた引掛シーリングボディに取り付けられる照明装置であって、発光部と、前記発光部を発光させるための電力を前記発光部に供給する電源回路と、前記引掛シーリングボディが配置される凹部が設けられた第一の外面、前記凹部の側方に位置し、前記電源回路を収容する収容部、及び、前記第一の外面の反対側の第二の外面を有し、前記第二の外面に前記発光部が取り付けられた筐体とを備える。
【発明の効果】
【０００７】
本発明によれば、薄型化が容易な照明装置が実現される。
【図面の簡単な説明】
【０００８】
【図１】図１は、実施の形態１に係る照明装置を下方から見た外観斜視図である。
【図２】図２は、実施の形態１に係る照明装置を上方から見た外観斜視図である。
【図３】図３は、実施の形態１に係る照明装置を下方から見た分解斜視図である。
【図４】図４は、実施の形態１に係る照明装置を上方から見た分解斜視図である。
【図５】図５は、実施の形態１に係る照明装置の断面図である。
【図６】図６は、実施の形態２に係る照明装置の断面図である。
【図７】図７は、実施の形態２に係る取り付けアダプタの下方から見た外観斜視図である。
【図８】図８は、実施の形態３に係る照明装置の下方から見た外観斜視図である。
【図９】図９は、実施の形態３に係る照明装置の断面図である。
【図１０】図１０は、グローブをさらに備える、実施の形態３に係る照明装置の下方から見た外観斜視図である。
【発明を実施するための形態】
【０００９】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
また、以下の実施の形態において、Ｚ軸方向は、例えば鉛直方向であり、Ｚ軸＋側は、上側（上方）または設置面側と記載される場合がある。また、Ｚ軸−側は、下側（下方）または光出射側と記載される場合がある。また、Ｘ軸方向及びＹ軸方向は、Ｚ軸に垂直な平面（水平面）上において、互いに直交する方向である。
【００１２】
（実施の形態１）
［構成］
まず、実施の形態１に係る照明装置の構成について説明する。図１は、実施の形態１に係る照明装置を下方から見た外観斜視図である。図２は、実施の形態１に係る照明装置を上方から見た外観斜視図である。図３は、実施の形態１に係る照明装置を下方から見た分解斜視図である。図４は、実施の形態１に係る照明装置を上方から見た分解斜視図である。図５は、実施の形態１に係る照明装置の断面図である。
【００１３】
実施の形態１に係る照明装置１０は、Ｚ軸回りに回動されることにより天井に設けられた引掛シーリングボディ２０（図３及び図５にて図示）に取り付けられ、主に下方を照らすシーリングライトである。照明装置１０の平面視形状（Ｚ軸方向から見た形状）は、円形である。図１〜図５に示されるように、照明装置１０は、筐体３０と、発光モジュール６０と、カバー７０と、電源回路８０とを備える。
【００１４】
筐体３０は、平たい略円柱状（略扁平状）の部材である。筐体３０の上面３１（図２及び図４にて図示）は、第一の外面の一例である。上面３１には、照明装置１０が引掛シーリングボディ２０に取り付けられたときに引掛シーリングボディ２０が配置される凹部３３が設けられる。筐体３０の下面３２（図３にて図示）は、第二の外面の一例である。下面３２には、発光モジュール６０が取り付けられる。
【００１５】
筐体３０は、より詳細には、取り付けアダプタ４０と、器具本体５０とからなる。平面視において、取り付けアダプタ４０の外形と、器具本体５０の外形とは一致する。筐体３０は、例えば、ＰＢＴ（ポリブチレンテレフタレート）等の樹脂材料によって形成されるが、金属材料によって形成されてもよい。また、取り付けアダプタ４０と器具本体５０とが別の材料によって形成されてもよい。
【００１６】
凹部３３は、筐体３０の上面のうち引掛シーリングボディ２０の外形に沿って凹んだ部分であり、筐体３０を引掛シーリングボディ２０取り付けるときにガイドとしても機能する。
【００１７】
取り付けアダプタ４０は、第一部材の一例であり、器具本体５０を引掛シーリングボディ２０に取り付けるための部材である。取り付けアダプタ４０は、器具本体５０よりも先に引掛シーリングボディ２０に取り付けられ、その後、取り付けアダプタ４０に器具本体５０が取り付けられる。板状部４５の上面に設けられた２つの端子４６のそれぞれが引掛シーリングボディ２０の端子孔２１の幅広部に挿入された状態で、取り付けアダプタ４０がＺ軸回りに回動されることにより、取り付けアダプタ４０は、引掛シーリングボディ２０に取り付けられる。
【００１８】
取り付けアダプタ４０の平面視形状は、引掛シーリングボディ２０よりも径が大きい円形である。取り付けアダプタ４０は、具体的には、基台部４１と、円筒部４２と、板状部４５とからなる。
【００１９】
基台部４１は、取り付けアダプタ４０の周縁の部分であって、器具本体５０が取り付けられる部分である。基台部４１は、略円環板状であり、器具本体５０を取り付けるための取り付け孔４７が２つ設けられる。取り付け孔４７（基台部４１のうち取り付け孔４７を形成する部分）は、取り付け部の一例である。取り付け孔４７には、器具本体５０の端子５１が挿入される。
【００２０】
なお、図示されないが、取り付け孔４７の近傍には、端子４６と電気的に接続された金属部材が配置される。取り付け孔４７に端子５１が挿入されると、端子５１と金属部材とが接触する。これにより、端子４６と端子５１とが電気的に接続される。
【００２１】
円筒部４２は、取り付けアダプタ４０の中央部分に形成された円筒状の部分であり、基台部４１により形成される円形開口に沿って基台部４１の下面に立設される。また、円筒部４２は、凹部３３の側面を構成する。
【００２２】
板状部４５は、円筒部４２の下端に形成される開口の一部を塞ぐ、長尺板状の部材である。円筒部の下端に板状部４５が設けられることにより、円筒部４２の下端には、開口部４４が２つ形成される。
【００２３】
板状部４５の上面には、金属製の端子４６が２つ設けられる。板状部４５は、言い換えれば、凹部３３の底面の一部である。端子４６の断面形状はＬ字状であり、端子孔２１に挿入されたときに、端子孔２１の幅狭部の縁に引っ掛かる。このような端子４６により、取り付けアダプタ４０と引掛シーリングボディ２０とは電気的及び機械的に接続される。
【００２４】
開口部４４は、取り付けアダプタ４０のうち略半円状の開口を形成する部分である。開口部４４は、取り付けアダプタ４０を引掛シーリングボディ２０に取り付ける際に、引掛シーリングボディ２０を下方から視認するために取り付けアダプタ４０に設けられる。
【００２５】
取り付けアダプタ４０は、引掛シーリングボディ２０よりも大きいため、開口部４４がなければ、ユーザは、取り付けアダプタ４０の取り付け時に下方から引掛シーリングボディ２０の位置が視認できない。言い換えると、開口部４４が設けられれば、ユーザは、取り付けアダプタ４０の取り付け時に下方から引掛シーリングボディ２０の位置を視認することができ、取り付けアダプタ４０の取り付けを容易に行うことができる。
【００２６】
なお、平面視において、器具本体５０の外形は、取り付けアダプタ４０の外形とほぼ同一である。このため、取り付けアダプタ４０への器具本体５０の取り付けは、取り付けアダプタ４０が下方から見て隠れにくいため、容易である。このような取り付けの観点から、器具本体５０の外形は、取り付けアダプタ４０の外形以下であるとよい。
【００２７】
器具本体５０は、内部に電源回路８０が収容される中空の部材である。器具本体５０の外形は、平たい略円柱状（略扁平状）であり、器具本体５０の上面の中央部分は、円筒部４２に対応して凹んでいる。
【００２８】
器具本体５０の上面であって、凹んでいない部分（周縁の部分）には、くぎ状の端子５１が２つ設けられる。端子５１は、金属製である。端子５１が取り付け孔４７の幅広部に挿入された状態で、器具本体５０がＺ軸回りに回動されることにより、器具本体５０は、取り付けアダプタ４０に取り付けられる。端子５１には、電源回路８０が電気的に接続されている。
【００２９】
なお、図示されていないが、器具本体５０が取り付けアダプタ４０に取り付けられると、器具本体５０と取り付けアダプタ４０とは、端子５１により電気的に接続される。上述のように、取り付けアダプタ４０が引掛シーリングボディ２０に取り付けられると、引掛シーリングボディ２０と取り付けアダプタ４０とは、端子４６により電気的に接続される。したがって、引掛シーリングボディ２０を通じて供給される交流電力は、端子４６及び端子５１を通じて電源回路８０に供給される。
【００３０】
図５に示されるように、器具本体５０の周縁部分の内部には、電源回路８０を収納するための空間を形成する収容部３４が設けられる。収容部３４は、凹部３３を周りから囲むドーナツ状の空間を形成し、電源回路８０を収容する。収容部３４は、電源回路８０を収納できるだけの空間を形成すればよく、ドーナツ状の空間を形成する必要はない。収容部３４は、凹部３３の側方に位置すればよい。
【００３１】
このように、収容部３４が、引掛シーリングボディ２０が配置される凹部３３の側方に位置することにより、引掛シーリングボディ２０の厚みにより生じる空間を利用して電源回路８０を配置することができる。したがって、照明装置１０が天井から出っ張ることを抑制することができる。
【００３２】
また、電源回路８０が筐体３０内の中央部分に配置される構成に比べて、電源回路８０において生じる熱を筐体３０の外に逃がしやすい。したがって、電源回路８０の放熱性が高められる利点もある。
【００３３】
なお、図１〜図５では正確に図示されていないが、器具本体５０には、電源回路８０を収容部３４に収納するための開口（及び開口を閉じるための蓋など）が設けられる。
【００３４】
器具本体５０の下面（筐体３０の下面３２）には、発光モジュール６０が取り付けられる。発光モジュール６０は、基板６１と、基板６１上に実装された複数の発光素子６２とを有する。発光モジュール６０は、発光部の一例であり、筐体３０の下面３２に取り付けられ、照明装置１０の光源として機能する。発光モジュール６０は、電源回路８０から供給される直流電力により発光する。
【００３５】
基板６１は、筐体３０よりも径が小さい、平面視形状が円形の基板である。基板６１は、筐体３０（器具本体５０）と、カバー７０との間に設けられる。基板６１は、例えば、セラミックまたは熱伝導性樹脂などの電気絶縁性を有する材料により形成される。
【００３６】
基板６１の上面は、筐体３０の下面３２と当接（面接触）しており、発光素子６２の発光により生じた熱は、筐体３０に伝導する。なお、基板６１の上面と、筐体３０の下面３２との間には、ヒートシンクが設けられてもよい。また、基板６１の上面と、筐体３０の下面３２との間には、放熱シートまたは放熱グリスなどの放熱部材が設けられてもよい。また、基板６１の上面と、筐体３０の下面３２との間には、基板６１を器具本体５０に接着するための接着剤が設けられてもよい。
【００３７】
基板６１の下面には、アルミや銅などからなる金属膜がパターニングされている。金属膜は、具体的には、発光素子６２に電力を供給するための配線である。金属膜には、配線の他に、発光素子６２が発する光を効率良く下方に出射するための光反射用の金属膜、及び、発光素子６２が発する熱を効率良く発散させるための放熱用の金属膜などが含まれてもよい。また、金属膜は、基板６１の上面にも設けられてもよい。
【００３８】
発光素子６２は、白色光を発する表面実装型（Ｓｕｒｆａｃｅ  Ｍｏｕｎｔ  Ｄｅｖｉｃｅ：ＳＭＤ型）のＬＥＤ素子であり、基板６１の下面に複数設けられる。複数の発光素子６２は、基板６１の下面に放射状に配置されている。表面実装型のＬＥＤ素子とは、樹脂成型されたキャビティの中にＬＥＤチップを実装し、かつ、当該キャビティ内に蛍光体含有樹脂を封入したパッケージ型のＬＥＤ素子である。複数の発光素子６２それぞれの光の主出射方向は、下方である。
【００３９】
基板６１の下面には、発光モジュール６０と、上述の電源回路８０とを電気的に接続するための端子部（図示せず）が設けられ、複数の発光素子６２は、電源回路８０（図５で模式的に図示）から供給される直流電力によって発光する。端子部と、電源回路８０とは、例えば、下面３２に設けられた開口（図示せず）に挿通されるリード線によって電気的に接続される。
【００４０】
カバー７０は、円板状の光学部材（グローブ）である。カバー７０は、透光性を有し、発光モジュール６０（基板６１）の下面（光出射側）を覆う。カバー７０は、筐体３０（器具本体５０）の下側に取り付けられる。
【００４１】
カバー７０は、例えば、シリコーン樹脂、アクリル樹脂、ポリカーボネート樹脂、及び、ガラスなどの透光性材料により形成される。また、カバー７０は、シリカまたは炭酸カルシウムなどの光拡散材（微粒子）を含有する白色の樹脂で形成されて光拡散性を有してもよい
電源回路８０は、引掛シーリングボディ２０を通じて供給される交流電力を発光モジュールの動作に適した直流電力に変換し、当該直流電力を発光モジュール６０に供給する。電源回路８０と発光モジュール６０とは図示されないリード線などにより電気的に接続される。
【００４２】
電源回路８０は、具体的には、基板に回路部品が実装された回路モジュールである。電源回路８０には、例えば、ＡＣ−ＤＣコンバータ回路、及び、ＤＣ−ＤＣコンバータ回路などが含まれる。電源回路８０を構成する回路部品は、具体的には、電解コンデンサもしくはセラミックコンデンサ等の容量素子、抵抗素子、コイル素子、チョークコイル（チョークトランス）、ノイズフィルタ、及び、ダイオードもしくは集積回路素子等の半導体素子等である。
【００４３】
［効果等］
以上説明した照明装置１０は、天井に設けられた引掛シーリングボディ２０に取り付けられる照明装置である。照明装置１０は、発光モジュール６０と、発光モジュール６０を発光させるための電力を発光モジュール６０に供給する電源回路８０と、筐体３０とを備える。
【００４４】
筐体３０は、引掛シーリングボディ２０が配置される凹部３３が設けられた上面３１、凹部３３の側方に位置し、電源回路８０を収容する収容部３４、及び、上面３１の反対側の下面３２を有し、下面３２に発光モジュール６０が取り付けられている。発光モジュール６０は、発光部の一例であり、上面３１は、第一の外面の一例であり、下面３２は、第二の外面の一例である。第一の外面及び第二の外面は、互いに背向する平面である。
【００４５】
このように、引掛シーリングボディ２０が配置される凹部３３の側方に収容部３４が位置することにより、引掛シーリングボディ２０の厚みにより生じる空間を利用して電源回路８０を配置することができる。したがって、照明装置１０が天井から出っ張ることを抑制することができる。言い換えれば、薄型化が容易な照明装置１０が実現される。
【００４６】
また、電源回路８０が筐体３０内の中央部分に配置される構成に比べて、電源回路８０において生じる熱を筐体３０の外に逃がしやすい。したがって、電源回路８０の放熱性が高められる利点もある。
【００４７】
また、筐体３０は、上面３１を含む取り付けアダプタ４０と、下面３２及び収容部３４を含む器具本体５０とを有してもよい。
【００４８】
これにより、ユーザは、筐体３０をアダプタ４０と器具本体５０とに分けて引掛シーリングボディ２０に取り付けることができる。
【００４９】
なお、筐体３０がアダプタ４０と、器具本体５０とを有する構成は、ロック機構を設けることが容易であるという利点もある。
【００５０】
ロック機構は、端子４６が端子孔２１の所定位置に挿入されている所定状態であることを検出する検出機構を有し、検出機構は、通常、端子４６の近傍に設けられる。ロック機構は、検出機構によって所定状態であることが検出されているときに、アダプタ４０を引掛シーリングボディ２０から取り外せないようにロックする。この状態においては、ユーザは、ロック機構が有する押しボタンを押下しないと、アダプタ４０を引掛シーリングボディ２０から取り外せない。
【００５１】
後述のように、筐体が１つの部材によって形成される場合は、押しボタンを筐体の外面に配置する必要がある。筐体の外面は、検出機構から遠いため、ロック機構の構造が複雑になる。これに対し、筐体３０がアダプタ４０と、器具本体５０とを有する構成においては、アダプタ４０に押しボタンを配置することができる。つまり、押しボタンを検出機構の近くに配置できるため、ロック機構の構造を簡素化できる。
【００５２】
また、取り付けアダプタ４０は、引掛シーリングボディ２０を上面３１の反対側から視認するための開口部４４を有してもよい。
【００５３】
これにより、取り付けアダプタ４０の取り付け時における、引掛シーリングボディ２０の位置合わせが容易となる。つまり、ユーザは、取り付けアダプタ４０を容易に引掛シーリングボディ２０に取り付けることができる。また、開口部４４は、器具本体５０により覆われるため、器具本体５０が後から取り付けられれば、開口部４４を隠すことができる。
【００５４】
また、取り付けアダプタ４０は、凹部３３の周りに、器具本体５０を取り付けアダプタ４０に取り付けるための取り付け孔４７を有してもよい。取り付け孔４７は、取り付け部の一例である。
【００５５】
このように、取り付け孔４７が凹部の周縁に設けられることで、ユーザは取り付け孔４７を目視しやすい。つまり、ユーザは、器具本体５０を容易に取り付けアダプタ４０に取り付けることができる。また、開口部４４は、器具本体５０により覆われるため、器具本体５０が後から取り付けられれば、開口部４４を隠すことができる。
【００５６】
また、凹部３３は、筐体３０のうち引掛シーリングボディ２０に沿って凹んだ部分であってもよい。
【００５７】
これにより、凹部３３は、照明装置１０を引掛シーリングボディ２０に取り付けるときのガイドとして機能する。つまり、ユーザは、凹部３３をガイドとして使用することにより、照明装置１０を容易に引掛シーリングボディ２０に取り付けることができる。
【００５８】
また、凹部３３の底面には、引掛シーリングボディ２０に引っ掛けられる端子４６が設けられてもよい。
【００５９】
これにより、筐体３０を引掛シーリングボディ２０に引っ掛けることで、照明装置１０を引掛シーリングボディ２０に取り付けることができる。
【００６０】
（実施の形態２）
［構成］
実施の形態１では、筐体３０は、器具本体５０に収容部３４が設けられたが、収容部３４は、取り付けアダプタ４０に設けられてもよい。以下、このような実施の形態２に係る照明装置の構成について説明する。なお、以下の実施の形態２では、実施の形態１で説明した構成要素と実質的に同一の構成要素については詳細な説明が省略される場合がある。
【００６１】
図６は、実施の形態２に係る照明装置の断面図である。図７は、実施の形態２に係る取り付けアダプタの下方から見た外観斜視図である。
【００６２】
図６に示されるように、実施の形態２に係る照明装置１０ａは、筐体３０ａと、発光モジュール６０と、カバー７０と、電源回路８０とを備える。
【００６３】
筐体３０ａは、平たい略円柱状（略扁平状）の部材である。筐体３０ａの上面には、引掛シーリングボディ２０が配置される凹部３３ａが設けられる。筐体３０ａの下面には、発光モジュール６０が取り付けられる。筐体３０ａは、より詳細には、取り付けアダプタ４０ａと、器具本体５０ａとからなる。
【００６４】
図６及び図７に示されるように、取り付けアダプタ４０ａは、第一部材の一例であり、器具本体５０ａを引掛シーリングボディ２０に取り付けるための部材である。取り付けアダプタ４０ａの外形は、平たい略円柱状（略扁平状）であり、器具本体５０ａの上面の中央部分には、凹部３３ａが設けられる。
【００６５】
取り付けアダプタ４０ａの周縁部分（凹部３３ａが設けられていない部分）の内部には、電源回路８０を収納するための空間を形成する収容部３４ａが設けられる。収容部３４ａは、凹部３３ａを周りから囲むドーナツ状の空間を形成し、電源回路８０を収容する。収容部３４ａは、電源回路８０を収納できるだけの空間を形成すればよく、ドーナツ状の空間を形成する必要はない。収容部３４ａは、凹部３３ａの側方に位置すればよい。
【００６６】
このように、収容部３４ａが、引掛シーリングボディ２０が配置される凹部３３ａの側方に位置することにより、引掛シーリングボディ２０の厚みにより生じる空間を利用して電源回路８０を配置することができる。したがって、照明装置１０ａが天井から出っ張ることを抑制することができる。
【００６７】
なお、取り付けアダプタ４０と同様に、取り付けアダプタ４０ａにおいて、凹部３３ａの底面として、板状部４５が部分的に設けられ、これによって開口部４４ａが２つ形成されている。なお、板状部４５の上面には、取り付けアダプタ４０ａを引掛シーリングボディ２０に取り付けるための端子４６が２つ設けられる。
【００６８】
開口部４４ａによれば、ユーザは、取り付けアダプタ４０ａの取り付け時に下方から引掛シーリングボディ２０の位置を視認することができ、取り付けアダプタ４０ａの取り付けを容易に行うことができる。
【００６９】
器具本体５０ａは、第二部材の一例であって、略円形板状の部材である。器具本体５０ａの下面には、発光モジュール６０が取り付けられる。器具本体５０ａの上面のうち周縁の部分には、器具本体５０ａの取り付けアダプタ４０ａへの取り付けに用いられる端子５１が２つ設けられる。
【００７０】
［効果等］
以上説明したように、照明装置１０ａが備える筐体３０ａは、筐体３０ａの上面及び収容部３４ａを含む取り付けアダプタ４０ａと、筐体３０ａの下面を含む器具本体５０ａとを有する。
【００７１】
これにより、ユーザは、筐体３０ａをアダプタ４０ａと器具本体５０ａとに分けて引掛シーリングボディ２０に取り付けることができる。
【００７２】
なお、筐体３０と同様に、筐体３０ａがアダプタ４０ａと、器具本体５０ａとを有する構成は、上述したロック機構を設けることが容易であるという利点もある。
【００７３】
（実施の形態３）
［構成］
実施の形態１及び２では、筐体は、取り付けアダプタと、器具本体との２つの部材からなり、これら２つの部材は、別々に取り付けが行われた。ここで、筐体は、一度に引掛シーリングボディ２０への取り付けが行われる１つの部材によって形成されてもよい。以下、このような実施の形態３に係る照明装置の構成について説明する。なお、以下の実施の形態２では、実施の形態１または２で説明した構成要素と実質的に同一の構成要素については詳細な説明が省略される場合がある。
【００７４】
図８は、実施の形態３に係る照明装置の下方から見た外観斜視図である。図９は、実施の形態３に係る照明装置の断面図である。
【００７５】
図８及び図９に示されるように、実施の形態３に係る照明装置１０ｂは、筐体３０ｂと、発光モジュール６０ｂと、カバー７０ｂと、電源回路８０とを備える。
【００７６】
筐体３０ｂは、平たい略円柱状（略扁平状）の部材である。筐体３０ｂの上面には、引掛シーリングボディ２０が配置される凹部３３ｂが設けられる。筐体３０ｂの下面には、発光モジュール６０ｂが取り付けられる。
【００７７】
筐体３０ｂの周縁部分（凹部３３ｂが設けられていない部分）の内部には、電源回路８０を収納するための空間を形成する収容部３４ｂが設けられる。収容部３４ｂは、凹部３３ｂを周りから囲むドーナツ状の空間を形成し、電源回路８０を収容する。収容部３４ｂは、電源回路８０を収納できるだけの空間を形成すればよく、ドーナツ状の空間を形成する必要はない。収容部３４ｂは、凹部３３ｂの側方に位置すればよい。
【００７８】
このように、収容部３４ｂが、引掛シーリングボディ２０が配置される凹部３３ｂの側方に位置することにより、引掛シーリングボディ２０の厚みにより生じる空間を利用して電源回路８０を配置することができる。したがって、照明装置１０ｂが天井から出っ張ることを抑制することができる。
【００７９】
なお、筐体３０ｂにおいては、凹部３３ａの底面として、板状部３５ｂが部分的に設けられ、これによって開口部４４ｂが２つ形成されている。なお、板状部３５ｂの上面には、筐体３０ｂを引掛シーリングボディ２０に取り付けるための端子４６が２つ設けられる。
【００８０】
発光モジュール６０ｂは、発光モジュール６０と異なり、円環板状の基板と、当該基板に実装された複数の発光素子とを有する。平面視において、発光モジュール６０ｂは、環状であり、開口部４４ｂを囲むように筐体３０ｂの下面に取り付けられる。
【００８１】
同様に、カバー７０ｂは、カバー７０と異なり、円環板状である。平面視において、カバー７０ｂは、環状であり、開口部４４ｂを囲むように筐体３０ｂの下面に取り付けられる。
【００８２】
このように、発光モジュール６０ｂ及びカバー７０ｂが開口部４４ｂを囲むように取り付けられれば、ユーザは、照明装置１０ｂの取り付け時に下方から引掛シーリングボディ２０の位置を視認することができる。つまり、ユーザは、取り付けアダプタ４０ａの取り付けを容易に行うことができる。
【００８３】
なお、開口部４４ｂは、外観上、照明装置１０ｂが引掛シーリングボディ２０に取り付けられた後には、覆われるほうがよい。また、円環状の発光モジュール６０ｂを備える照明装置１０ｂにおいては、中心部分の明るさが不足する可能性がある。そこで、照明装置１０ｂが引掛シーリングボディ２０に取り付けられた後、下方からグローブがさらに取り付けられてもよい。図１０は、グローブをさらに備える照明装置１０ｂの下方から見た外観斜視図である。
【００８４】
図１０に示されるグローブ９０は、開口部４４ｂ及び発光モジュール６０ｂ（カバー７０ｂ）を下方から覆う光学部材である。平面視において筐体３０ｂを外側から囲む円筒部９１と、カバー７０ｂと対向し、円筒部９１よりも下方に位置する円板部９２とを有する。円板部９２は、円筒部９１よりも径が一回り大きい。
【００８５】
グローブ９０は、例えば、シリコーン樹脂、アクリル樹脂、ポリカーボネート樹脂、及び、ガラスなどの透光性材料により形成される。また、グローブ９０は、上記中心部分の明るさの不足を補う観点から、光拡散性を有するほうがよい。この場合、グローブ９０は、例えば、シリカまたは炭酸カルシウムなどの光拡散材（微粒子）を含有する白色の樹脂で形成される。
【００８６】
［効果等］
以上説明したように、照明装置１０ｂの筐体３０ｂは、引掛シーリングボディ２０を下面側から視認するための開口部４４ｂを有する。
【００８７】
これにより、照明装置１０ｂの取り付け時における、引掛シーリングボディ２０の位置合わせが容易となる。
【００８８】
また、照明装置１０ｂでは、発光モジュール６０ｂは、環状であり、開口部４４ｂを囲むように筐体３０ｂの下面に取り付けられてもよい。
【００８９】
これにより、発光モジュール６０ｂによって開口部４４ｂが覆われないため、照明装置１０ｂの取り付け時における、引掛シーリングボディ２０の位置合わせが容易となる。
【００９０】
（その他の実施の形態）
以上、実施の形態に係る照明装置について説明したが、本発明は、このような実施の形態に限定されるものではない。
【００９１】
例えば、上記実施の形態１及び２では、取り付け孔が取り付けアダプタに設けられ、取り付け孔に挿入される端子が器具本体に設けられた。しかしながら、取り付け孔が器具本体に設けられ、取り付け孔に挿入される端子が取り付けアダプタに設けられてもよい。
【００９２】
また、上記実施の形態では、発光部の一例として、ＳＭＤ型の発光モジュールが用いられたが、発光部の態様は特に限定されるものではない。例えば、基板上にＬＥＤチップが直接実装された、ＣＯＢ（Ｃｈｉｐ  Ｏｎ  Ｂｏａｒｄ）型の発光モジュールが発光部として用いられてもよい。また、ＬＥＤが用いられた発光モジュールの代わりに、有機ＥＬ素子（ＯＬＥＤ）または無機ＥＬ素子等のＬＥＤ以外の固体発光素子を用いて構成された発光モジュールが発光部として用いられてもよい。
【００９３】
また、上記実施の形態では、引掛シーリングボディの形状は、略有底円筒状であったが、引掛シーリングボディの形状は、このような形状に限定されるものではなく、その他の形状であってもよい。
【００９４】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９５】
１０、１０ａ、１０ｂ  照明装置
２０  引掛シーリングボディ
３０、３０ａ、３０ｂ  筐体
３１  上面（第一の外面）
３２  下面（第二の外面）
３３、３３ａ、３３ｂ  凹部
３４、３４ａ、３４ｂ  収容部
４０、４０ａ  アダプタ（第一部材）
４４、４４ａ、４４ｂ  開口部
４７  取り付け孔（取り付け部）
５０、５０ａ  器具本体（第二部材）
６０、６０ｂ  発光モジュール（発光部）
８０  電源回路
【図１】
0006646829.tif 000002
【図２】
0006646829.tif 000003
【図３】
0006646829.tif 000004
【図４】
0006646829.tif 000005
【図５】
0006646829.tif 000006
【図６】
0006646829.tif 000007
【図７】
0006646829.tif 000008
【図８】
0006646829.tif 000009
【図９】
0006646829.tif 000010
【図１０】
0006646829.tif 000011